(57)【特許請求の範囲】
【請求項１】
脱穀機（６）の扱胴（１６）を覆うカバー（１７）を脱穀機（６）の枠体（５）側に前後方向に固定された支点軸（１９）に開閉可能に軸支した脱穀機において、脱穀機（６）の作動部設定を切り換える操作レバーを備えたレバーボックス（９）を該支点軸（１９）に固定して取り付けた脱穀機におけるレバーボックス。
【請求項２】
操作レバーを、穀粒選別部（１４）の調整装置の切換レバー（２１）と、排わら処理部（１２）における切断と非切断の切換部の選択レバー（１１）とした請求項１の脱穀機におけるレバーボックス。
【発明の詳細な説明】
【０００１】
【発明の属する技術分野】
この発明はコンバインやハーベスタ等が搭載する脱穀機におけるレバーボックスに関する。
【０００２】
【従来の技術】
従来コンバインやハーベスタの脱穀機には、脱穀機の作動部の設定を切り換える操作レバーとして、脱穀機における選別室の調節を行う切換レバーが脱穀機側に備えられたレバーボックスに設けられているものがあった。そして該レバーボックスは脱穀機の枠体における扱胴を覆う開閉式のカバー以外の固定された部分に取り付けられており、脱穀機は切換レバーの操作によって選別室内の揺動流板が脱穀作業する穀粒に適した状態に切り換えられ、穀粒の種類，大きさ等に応じた選別作業を行うことができる構造となっていた。
【０００３】
【発明が解決しようとする課題】
しかし上記切換レバー等の操作レバーを備えたレバーボックスは、各レバー及びレバーボックスがカバー開閉の妨げにならないように取り付けられる必要があるため、脱穀機おけるその取付け範囲は限定されていた。このためレバーボックスを枠体に安定して取り付けた場合、レバーボックスのその位置においては、オペレータのレバー操作が困難となり、切換レバー等の操作性が犠牲になることがあるという欠点がある一方、切換レバー等の操作性を優先させると、レバーボックスの取り付けが不安定となるという問題点もあった。特にカバーのオープンとともに扱胴も上方にオープンする構造の機種の場合は、レバーボックスの取付け範囲がより狭くなり、上記問題がクローズアップされる。
【０００４】
【課題を解決するための手段】
上記問題点を解決するための本発明の脱穀機におけるレバーボックスは、脱穀機６の扱胴１６を覆うカバー１７を脱穀機６の枠体５側に前後方向に固定された支点軸１９に開閉可能に軸支したことと、脱穀機６の作動部設定を切り換える操作レバーを備えたレバーボックス９を該支点軸１９に固定して取り付けたことを第１の特徴としている。
【０００５】
また操作レバーを、穀粒選別部１４の調整装置の切換レバー２１と、排わら処理部１２における切断と非切断の切換部の選択レバー１１としたことを第２の特徴としている。
【０００６】
【発明の実施の形態】
以下図面に従って本発明の一実施形態について説明する。図１は本発明を応用したコンバインの全体平面図である。クローラ方式の左右一対の走行部（図示せず）上に構成されている機体１は、前方に前処理部２が備えられているとともに、該前処理部２の右側後方に運転席３が、左側後方に前処理部２によって刈り取られた刈取穀稈の搬送装置４がそれぞれ設けられている。
【０００７】
また該搬送装置４の後方には脱穀機６が設けられているとともに、上記運転席３の後方にあたる脱穀機６の右側方にはグレンタンク７が備えられている。さらに運転席３の左側方には操作部８が、そしてグレンタンク７と脱穀機６との間には後述するレバーボックス９がそれぞれ設けられている。一方脱穀機６後方には前記レバーボックス９に後述するように支持されている選択レバー１１によって脱穀機６の排わらを切断して排出するか、非切断でそのまま排出するかの切り換えが可能である排わら処理装置１２も設けられている。つまり排わら処理装置１２は脱穀機６の排わら処理部として機能している。
【０００８】
次に脱穀機６の構成について説明する。脱穀機６は図２，図３に示されるように脱穀室１３と選別室（穀粒選別部）１４が上下に配置されており、脱穀室１３に備えられた扱胴１６によって脱穀された穀粒が藁屑とともに選別室１４に落下し、該選別室１４に備えられている揺動流板（図示せず）によって穀粒のみが選別される構造になっている。このとき上記扱胴１６は、扱胴１６を覆う開閉式のカバー１７に回動自在に支持されており、該カバー１７には右側（正面視においては左側）に向かって、その端部にボス１８ａが備えられているアーム１８が突設されている。そして該ボス１８ａは脱穀機６の枠体５の固定された側板５ａに固定されている支点軸１９に回動自在に外嵌している。つまりカバー１７と扱胴１６は支点軸１９を支点として一体的に上下に開閉自在となっている。このとき支点軸１９は前後方向に設けられており、枠体５より右側方に突出している。
【０００９】
一方選別室１４内には前述のように揺動流板が傾斜して支持されており、該揺動流板は、揺動流板の下側に配置された揺動駆動装置（図示せず）の駆動によって揺動駆動され、脱粒室１３から落下した穀粒と藁屑の混合物を選別する。そしてその動作は揺動流板の揺動によって、揺動流板の波状の選別移送部（図示せず）から移送される穀粒と藁屑の混合物が網目を有する選別部（図示せず）に達し、穀粒が網目の間から落下し、藁屑が選別風によって吹き飛ばされることで穀粒と藁屑の選別が行われるものである。
【００１０】
このとき揺動流板にはスライドプレート（図示せず）が備えられており、該スライドプレートは後述する切換レバー２１とワイヤーで連結されている。そして切換レバー２１を操作することによってスライドプレートで選別部の網目の漏下面積を調節し、揺動流板（選別部）を脱穀作業する作物の穀粒に適した状態に切り換え、穀粒の種類，大きさ等に応じた選別作業を行うことができる構造になっている。つまり上記切換レバー２１は脱穀機６の作動部の設定変更を行う操作レバーの１つであり、揺動流板（スライドプレート）が、脱穀機６の作動部の１つである選別室１４の調整装置である。なお以上に示す脱穀機６の構造は従来と同様のものであるので、その詳細については割愛する。
【００１１】
次に前述のレバーボックス９の構造について説明する。図２〜図５に示されるように、レバーボックス９は略コの字状断面を有するボックスフレーム２２の上端にガイド孔２３を備えたプレート状のレバーガイド２４が固定されて形成されており、ボックスフレーム２２の各面が前方，左側方，後方を向くように前述の支点軸１９に固定されている。このときボックスフレーム２２の左側面２２ａはその上方が開放しており、また前面２２ｂ及び背面２２ｃ上方は、該左側面２２ａの開放部分に対応して切欠が設けられている。そして左側面２２ａの開放部分は、レバーガイド２４側に固定された容易に変形，復元するビニール等のボックスカバー２５によって閉塞されている。
【００１２】
つぎにレバーボックス９の支点軸１９への固定方法について説明する。支点軸１９にはコの字状断面を有する取付ブラケット２６が、前方に平面が位置するように固着されており、該取付ブラケット２６の前面２６ａにボックスフレーム２２の背面２２ｃがボルト２７等によって固定されている。このときボックスフレーム２２の背面２２ｃには背面２２ｃに対して垂直に後方に突出した取付面２８が設けられており、該取付面２８と取付ブラケット２６の側面２６ｂもボルト２９等で固定されている。
【００１３】
またボックスフレーム２２の左側面２２ａの内面からは右方向にレバー軸３１が突設されており、該レバー軸３１には連結部材３２の基端部に備えられたボス３２ａが外嵌している。一方支点軸１９には上記取付ブラケット２６より前方にプレート状の取付部材３３が固着されており、該取付部材３３と上記連結部材３２の先端がボルト３０等によって固定されている。以上のようにレバーボックス２２は支点軸１９に固定され、脱穀機６とグレンタンク７の間に位置するように脱穀機６（枠体５）側に取り付けられている。
【００１４】
そして扱胴１６とカバー１７を一体的に上方に回動させると、図２に示されるようにカバー１７の右上端部（図２における左上端部）は、上記ボックスフレーム２２の左側面２２ａの開放部分及び前面２２ｂ及び背面２２ｃの切欠部分にボックスカバー２５を押し込みながら入り込み、レバーボックス９は扱胴１６及びカバー１７の開閉動作を妨げない。つまりレバーボックス９は、上記のように構成されて支点軸１９に取り付けられているため、支点軸１９上であればどこに設けられても上記扱胴１６及びカバー１７の開閉の妨げにならない。なおレバーボックス９の支点軸１９における前後方向の取り付け位置については後述する。
【００１５】
またレバーボックス９は脱穀機６の枠体５から右側（グレンタンク７側）に離れた（突出した）支点軸１９に設けられているので、左右方向の取り付け位置においてもレバーボックス９は上記扱胴１６及びカバー１７の開閉動作を最も妨げない位置に設けられている。そしてレバーボックス９は、取り付けられる支点軸１９が非回動であるため脱穀機６側に強固に安定して固定される。
【００１６】
一方レバーボックス９上方のガイド孔２３からは、前述の揺動流板（スライドプレート）操作用の切換レバー２１が突出しており、該切換レバー２１は略中央にボス３４ａを備えたリンクアーム３４の端部に固定されている。そして該リンクアーム３４は、該ボス３４ａが上記レバー軸３１に回動自在に外嵌されて、レバー軸３１に前後揺動自在に支持されており、これにより上記切換レバー２１がレバー軸３１を支点にガイド孔２３に沿って前後揺動自在となっている。なお上記リンクアーム３４のボス３４ａは、連結部材３２のボス３２ａより左側に位置している。
【００１７】
そしてリンクアーム３４側にスライドプレート側からのワイヤー（図示せず）が接続されており、切換レバー２１を前後揺動させることによってリンクアーム３４が前後に揺動し、リンクアーム３４によってワイヤーが操作され、スライドプレートが動作し、揺動流板が所定の状態にセットされる。なおワイヤーによるリンクアーム３４とスライドプレートとの連結状態及び切換レバー２１の操作に対するスライドプレートの動作等は従来と同様であるので詳細については割愛する。
【００１８】
またレバーボックス９内の上記レバー軸３１における連結部材３２のボス３２ａの右側には、上記リンクアーム３４同様の略中央にボス３６ａを備えたリンクアーム３６が、該ボス３６ａがレバー軸３１に回動自在に外嵌されて設けられており、該リンクアーム３６の上端側には回動自在にブラケット３７が設けられている。一方運転席３側方の操作部８後方側に備えられているガイド３８内には、一端側を支点３９とするアーム４１が揺動自在に支持されており、該アーム４１には、ガイド３８のガイド孔に挿通されて運転席３側に突出している選択レバー１１の基端部が固定されている。
【００１９】
このとき選択レバー１１は上下に揺動自在となっており、選択レバー１１の上下揺動によってアームが前後揺動する構成となっている。そして上記アーム４１の上端側とブラケット３７がロッド４２によって連結されており、さらに上記リンクアーム３６が、排わら処理装置１２内に設けられている、排わらの切断を行うか行わないかの選択切換えを行う切換板（図示せず）とワイヤー（図示せず）によって連結されている。つまり該切換板が排わら処理部（排わら処理装置１２）の切換部である。
【００２０】
上記構造によりガイド３８のガイド孔に沿って選択レバー１１を上下揺動し、アーム４１を前後揺動させると、ロッド４１を介してブラケット３７によってリンクアーム３６が前後揺動し、リンクアーム３６によってワイヤーが操作され、排わら処理装置１２内の切換板が操作され、排わら処理装置１２による排わらの切断又は非切断の選択を行う構造となっている。なおワイヤーによるリンクアーム３６と切換板との連結状態、選択レバー１１の操作に対する切換板の動作、切換板による排わら処理装置１２の切り換え構造等は従来と同様であるので詳細については割愛する。
【００２１】
このときレバーボックス９の支点軸における固定位置の前後位置は、オペレータが運転席３に座った状態で両レバー１１，２１を容易に操作できる位置となっている。つまり前述のように上記構成のレバーボックス９が支点軸１９上に固定されるので、レバーボックス９の前後方向の取り付けの自由度が高く、レバーボックス９の安定した取り付けと、切換レバー２１及び選択レバー１１の操作の容易性を同時に実現することができる。また選択レバー１１と切換レバー２１の両レバーは上記のように操作性を共に保たれた状態で、同一のレバーボックス９の１つのレバー軸３１に支持されており、つまり両レバーの操作性を犠牲にせずにレバーの取り付け構造が簡略化されている。
【００２２】
【発明の効果】
以上のように構成される本発明によれば、レバーボックスが脱穀機のカバーの開閉支点となる非回動の支点軸に固定されているので、脱穀機のカバーとともに扱胴がオープンする従来レバーボックスの取り付け場所が特に少ない機種においても、扱胴及びカバー開閉の妨げにならないレバーボックスの取り付け位置を容易に確保できるとともに、レバーボックスを強固に安定した状態で取り付けることができる。またレバーボックスが扱胴及びカバー開閉の支点軸に取り付けられるため、前後方向の取り付け自由度が高く、脱穀機の作動部設定変更を行う操作レバーの操作性を保った状態でレバーボックスの安定した取り付けを行うことができるという効果もある。
【００２３】
さらにレバーボックスの取り付け自由度が高いので、レバーボックスに排わら処理部の選択レバーと穀粒選別部の切換レバーとが備えられた場合でも、両レバーを容易に操作することができる位置にレバーボックスを取り付けることができる。このため切換レバーと選択レバーを１つのレバーボックスに支持することによる支持構造の簡略化を両レバーの操作性を犠牲にすることなく行うことができるという利点もある。
【図面の簡単な説明】
【図１】コンバインの平面図である。
【図２】脱穀機の正面図である。
【図３】脱穀機の右側面図である。
【図４】レバーボックスの取付け状態を示す図３のＢ方向からの斜視図である。
【図５】レバーボックスの取付け状態を示す図３のＡ方向からの矢視図である。
【符号の説明】
５      枠体
６      脱穀機
９      レバーボックス
１１    選択レバー
１２    排わら処理装置（排わら処理部）
１４    選別室（穀粒選別部）
１６    扱胴
１７    カバー
１９    支点軸
２１    切換レバー
【図１】
0003682098.tif 000002
【図２】
0003682098.tif 000003
【図３】
0003682098.tif 000004
【図４】
0003682098.tif 000005
【図５】
0003682098.tif 000006